(57)【要約】 【課題】  受光素子を表示パネル内の形成する表示パネルにおいて、受光範囲を広くし、且つ、製造工程数の増加を回避する。【解決手段】  輝度制御が行われる複数のサブ画素を有し、前記サブ画素は、印加された電圧に応じて輝度を変更する第１ＴＦＴと、外光を受光する第２ＴＦＴと、該第２ＴＦＴの受光量に応じた電荷を蓄積する電荷蓄積部と、該電荷蓄積部に蓄積された電荷量に応じた電圧を出力する第３ＴＦＴとが形成されたＴＦＴ基板を備える。【選択図】      図４
2009223102.tif 000002
【特許請求の範囲】
【請求項１】
輝度制御が行われる複数のサブ画素を有し、
前記サブ画素には、印加された電圧に応じて輝度を変更する第１ＴＦＴと、外光を受光
する第２ＴＦＴと、該第２ＴＦＴの受光量に応じた電荷を蓄積する電荷蓄積部と、該電荷
蓄積部に蓄積された電荷量に応じた電圧を出力する第３ＴＦＴとが形成されたＴＦＴ基板
を備えたことを特徴とする表示パネル。
【請求項２】
前記第１ＴＦＴのソース端子と前記第２ＴＦＴのソース端子は同一ソースドライバに接
続され、前記第１ＴＦＴのゲート端子と前記第３ＴＦＴのゲート端子は同一ゲートドライ
バに接続されることを特徴とする請求項１に記載の表示パネル。
【請求項３】
輝度制御が行われる複数のサブ画素を有した表示パネルを有する電子機器であって、
前記サブ画素は、印加された電圧に応じて輝度を変更する第１ＴＦＴと、外光を受光す
る第２ＴＦＴと、該第２ＴＦＴの受光量に応じた電荷を蓄積する電荷蓄積部と、該電荷蓄
積部に蓄積された電荷量に応じた電圧を出力する第３ＴＦＴとが形成されたＴＦＴ基板を
備え、
使用者の眼に向けて光を照射する発光手段と、前記第３ＴＦＴの出力電圧に基づいて視
線を算出する視線検出手段と、前記表示パネルが受光した眼の反射光の位置を前記表示パ
ネルに表示させる制御手段を備えたことを特徴とする表示パネルを有する電子機器。
【請求項４】
前記制御手段は前記第３ＴＦＴの出力電圧に基づいた印加電圧を同一サブ画素内の前記
第１ＴＦＴに出力することを特徴とする請求項３に記載の表示パネルを有する電子機器。
【請求項５】
前記表示パネルを有する第１筐体と、第２筐体と、前記第１筐体と前記第２筐体を開閉
可能に軸支するヒンジを有することを特徴とする請求項３または請求項４に記載の表示パ
ネルを有する電子機器。
【請求項６】
前記発光手段の照射位置を可変する調整手段を備えたことを特徴とする請求項５に記載
の表示パネルを有する電子機器。
【発明の詳細な説明】
【技術分野】
【０００１】
本発明は、サブ画素内に視線を検出するＴＦＴを備えた表示パネルおよびこれを有する
電子機器に関する。
【背景技術】
【０００２】
従来より、視線方向の検出が種々の装置に利用されている。視線方向の検出方法として
は角膜（黒目）と強膜（白目）の反射率の差に起因した反射光の強弱を測定することによ
り角膜と強膜の位置関係から視線方向を検出する技術がある（特許文献１参照）。また、
視線方向を瞳孔と角膜曲率中心とを結ぶベクトルと仮定して瞳孔の中心とプルキニエ像（
角膜表面における反射像）の位置から視線方向を検出する技術がある（特許文献２参照）
。
【０００３】
視線検出の用途のひとつとして、頭部装着型の映像装置がある。この装置はダイオード
からの赤外線が眼に照射され、眼の反射光をＣＣＤカメラで撮像し、撮像画像を解析して
視線方向を求め、映像に視線の位置を重畳するものである。また、頭部装着型を眼鏡型に
して、視線方向をパーソナルコンピュータに出力してカーソルの移動、クリック、ダブル
クリックなどの入力に使用することも考えられた（特許文献３参照）。
【０００４】
ところが、眼鏡型の視線検出装置は視線方向の検出の精度が悪いという問題があった。
この要因は、眼を撮像するＣＣＤカメラが視線の対象となるパーソナルコンピュータの表
示部と一体ではないために、眼鏡型の視線検出装置の頭部への装着がずれることにある。
そこで、特許文献４に示す如く、液晶パネル内に光電変換素子を配設することが考えられ
た。図１２は特許文献４の図１であり、カメラの自動焦点における液晶パネルの等価回路
図である。液晶の配向を変化させるＴＦＴ９０２（薄膜トランジスタ）がデータ線９０３
とゲート線９０９によりマトリクス状に配設される。そして、このマトリクスの延長上に
光電変換素子９１５が配設される。このように光電変換素子を液晶パネル内に配設すれば
、眼の反射光を検出する手段と視線の対象物が一体となるので、視線方向の検出の精度が
向上する。
【特許文献１】特許３０３８３７５号公報
【特許文献２】特開２００３−７９５７７号公報
【特許文献３】特開２０００−１８７５５２号公報
【特許文献４】特開２０００−３０５７１５号公報
【発明の開示】
【発明が解決しようとする課題】
【０００５】
しかしながら、特許文献４の光電変換素子は表示の画素領域外（表示のマトリクス外）
に配設されために、赤外照射手段、眼と光電変換素子の位置関係の設計に大きな制約を課
すこととなった。また、液晶パネルの寸法が大きくなるという問題もあった。たとえば、
特許文献３のカーソル移動を折畳式のノート型パーソナルコンピュータに適用させると、
使用者によって、また、ヒンジの開き角度によって眼の反射光の受光位置が上下に変化す
るので、反射光を表示の画素外で受光することは困難である。また、反射光を表示の画素
領域外で受光すると、ノート型パーソナルコンピュータの寸法が大きくなる。
【０００６】
また、特許文献４の光電変換素子はＴＦＴ以外のフォトダイオード等で構成されるので
、工数が増加するという問題もあった。
【０００７】
本発明は上述の問題を鑑みてなされたものであり、ＴＦＴからなる光電変換素子を表示
の画素領域内に形成することにより、表示パネルの受光範囲を広くし、且つ、製造工程数
の増加を回避する。また、本発明を折畳式のノート型パーソナルコンピュータに適用させ
たときは、ヒンジの傾きに伴う視線検出の調整を容易に行うようにする。
【課題を解決するための手段】
【０００８】
上記課題を解決するために、本発明の表示パネルは、輝度制御が行われる複数のサブ画
素を有し、
前記サブ画素には、印加された電圧に応じて輝度を変更する第１ＴＦＴと、外光を受光
する第２ＴＦＴと、該第２ＴＦＴの受光量に応じた電荷を蓄積する電荷蓄積部と、該電荷
蓄積部に蓄積された電荷量に応じた電圧を出力する第３ＴＦＴとが形成されたＴＦＴ基板
を備える。
【０００９】
このように、サブ画素のＴＦＴ基板内にＴＦＴの光検出素子を形成することにより、表
示パネルの広い領域で受光することができるようになる。また、製造工程数の増加を回避
することができる。
【００１０】
また、前記第１ＴＦＴのソース端子と前記第２ＴＦＴのソース端子は同一ソースドライ
バに接続され、前記第１ＴＦＴのゲート端子と前記第３ＴＦＴのゲート端子は同一ゲート
ドライバに接続される。
【００１１】
これにより、受光と同一のサブ画素で眼の受光位置を表示することが容易である。
【００１２】
また、上記課題を解決するために、本発明の表示パネルを有する電子機器は、輝度制御
が行われる複数のサブ画素を有した表示パネルを有する電子機器であって、
前記サブ画素は、印加された電圧に応じて輝度を変更する第１ＴＦＴと、外光を受光す
る第２ＴＦＴと、該第２ＴＦＴの受光量に応じた電荷を蓄積する電荷蓄積部と、該電荷蓄
積部に蓄積された電荷量に応じた電圧を出力する第３ＴＦＴとが形成されたＴＦＴ基板を
備え、
使用者の眼に向けて光を照射する発光手段と、前記第３ＴＦＴの出力電圧に基づいて視
線を算出する視線検出手段と、前記表示パネルが受光した眼の反射光の位置を前記表示パ
ネルに表示させる制御手段を備える。
【００１３】
これにより、上述の表示パネルを視線検出に適用することができる。また、眼の反射光
の受光位置を前記表示パネルに表示させるので、視線検出の調整を容易に行うことができ
る。
【００１４】
また、前記制御手段は前記第３ＴＦＴの出力電圧に基づいた印加電圧を同一サブ画素内
の前記第１ＴＦＴに出力する。
【００１５】
これにより、容易に、且つ正確に眼の反射光の受光位置を前記表示パネルに表示させる
ことができる。
【００１６】
また、前記発光手段の照射位置を可変する調整手段を備える。これにより、容易に眼の
反射光の受光位置を調整することができる。
【発明を実施するための最良の形態】
【００１７】
以下、図面を参照して本発明の最良の実施形態を説明する。但し、以下に示す実施形態
は、本発明の技術思想を具体化するための表示パネル及びこれを有する電子機器を例示す
るものであって、本発明をこれらに特定することを意図するものではなく、特許請求の範
囲に含まれるその他の実施形態のものにも等しく適応し得るものである。
【００１８】
本実施形態の電子機器をノート型パーソナルコンピュータに適用して説明する。図１は
ノート型パーソナルコンピュータの要部を示す正面図である。図２は図１の側面図である
。
【００１９】
図１、図２に示す如く、ノート型パーソナルコンピュータ１は第１筐体１０と第２筐体
２０からなり、第１筐体１０と第２筐体２０は左右一対のヒンジ３０Ｌ、３０Ｒで開閉可
能に軸支される折畳式である。この開閉角度は０度〜１８０度の範囲で使用者が所望する
角度に保持できるようになっている。
【００２０】
第１筐体１０は液晶パネル１１と発光手段１２と調整手段１３を備えている。発光手段
１２は７５０ｎｍ程度の赤外線を発光する左右一対の赤外発光ダイオード１２１Ｌ、１２
１Ｒと左右一対のレンズ１２２Ｌ、１２２Ｒを備えている。赤外発光ダイオード１２１Ｌ
、１２１Ｒとレンズ１２２Ｌ、１２２Ｒは立体的な位置を検出するために２組ある。
【００２１】
点光源である赤外発光ダイオード１２１Ｌ、１２１Ｒからの赤外線はレンズ１２２Ｌ、
１２２Ｒによって平行線になる。調整手段１３は発光手段１２から照射される赤外線の向
きを調整するものであり、第１筐体に摺動可能に保持される第１アーム１３１と、第１ア
ーム１３１に回動可能に軸支され発光手段１２が固着される第２アーム１３２を有する。
第１アーム１３１の摺動は、第１アーム１３１に設けられた上下に延在する長円のスリッ
１３１ａと該スリッ１３１ａに嵌入する２つの軸１３３Ｕ、１３３Ｄによって行われる。
この摺動により、使用者の眼８の高さを調整して、眼８の反射光を表示パネルで受光でき
るようにする。第２アーム１３２の回動は軸１３４によって行われる。この回動により、
発光手段１２からの赤外線の向きを使用者の眼８の方向に向ける。
【００２２】
このように、発光手段の照射位置を可変する調整手段を備えているために、容易に眼の
反射光の受光位置を調整することができる。
【００２３】
図３は液晶パネル１１の画素構成を示す図である。液晶パネル１１はカラーのＷＵＸＧ
Ａであり、ゲートライン方向（横方向）に１９２０画素、ソースライン方向（縦方向）に
１２００画素ある。夫々の１画素はＲＧＢの３つのサブ画素からなる。
【００２４】
液晶パネル１１は縦電界方式である。図４はサブ画素の要部を示す等価回路であり、図
５はサブ画素のパターンを示す平面図であり、図６は図５のＡ−Ａ’断面図であり、図７
は外光の入射部を示す図である。
【００２５】
図４において、各サブ画素は液晶の配向を変化させることにより輝度を変化させる液晶
配向部１１１に加えて、光を検出して光量（輝度）を出力する光検出部１１２を備える。
液晶配向部１１１は第１スイッチング薄膜トランジスタＴＦＴ１と第１蓄電容量Ｃ１から
なる。第１スイッチング薄膜トランジスタＴＦＴ１のソース端子Ｓ１はソースドライバＤ
ＲＶ１に接続され、ゲート端子Ｇ１はゲートドライバＤＲＶ２に接続される。第１蓄電容
量Ｃ１は第１スイッチング薄膜トランジスタＴＦＴ１のドレイン端子Ｄ１が接続される第
１ドレイン電極（図６の５８）と、コモン線に接続されるコモン電極（図６の５８）と、
その間に形成される第１絶縁層（図６の６０）からなる。
【００２６】
光検出部１１２は第２スイッチング薄膜トランジスタＴＦＴ２、第２蓄電容量Ｃ２と第
３スイッチング薄膜トランジスタＴＦＴ３からなる。第２スイッチング薄膜トランジスタ
ＴＦＴ２のソース端子Ｓ２はソースドライバＤＲＶ１に接続され、ゲート端子Ｇ２は光ゲ
ートドライバＤＲＶ３に接続される。第２蓄電容量Ｃ２は第２スイッチング薄膜トランジ
スタＴＦＴ２のドレイン端子Ｄ２が接続される第２ドレイン電極（図６の６１）と、光ゲ
ートドライバＤＲＶ３に接続される光ゲート電極（図６の６２）と、その間に形成される
第１絶縁層（図６の６０）からなる。第３スイッチング薄膜トランジスタＴＦＴ３のソー
スＳ３は光ゲート電極（図６の６２）に接続され、ゲートＧ３はゲートドライバＤＲＶ２
に接続され、ドメイン端子Ｄ３は図８の視線検出手段１４に接続される。
【００２７】
図５において、ゲート線５１が横方向に延在し、ソース線５２が縦方向に延在する。ま
た、コモン線５３と光ゲート線５４が横方向に延在し、光量出力線５５が縦方向に延在す
る。本実施例では、光ゲート線５４とソース線５２で分割される矩形の領域がサブ画素の
領域である。各サブ画素の領域には第１スイッチング薄膜トランジスタＴＦＴ１、第２ス
イッチング薄膜トランジスタＴＦＴ２と第３スイッチング薄膜トランジスタＴＦＴ３が配
設される。ゲート線５１に第１スイッチング薄膜トランジスタＴＦＴ１のゲート端子Ｇ１
と、第３スイッチング薄膜トランジスタＴＦＴ３のゲート端子Ｇ３が接続される。光ゲー
ト線５４に第２スイッチング薄膜トランジスタＴＦＴ２のゲート端子Ｇ２が接続される。
ソース線５２に第１スイッチング薄膜トランジスタＴＦＴ１のソース端子Ｓ１と、第２ス
イッチング薄膜トランジスタＴＦＴ２のソース端子Ｓ２が接続される。光量出力線５５に
第３スイッチング薄膜トランジスタＴＦＴ３のドレイン端子Ｄ３が接続される。
【００２８】
第１スイッチング薄膜トランジスタＴＦＴ１のドレイン端子Ｄ１はコンタクトホール５
６を介して画素電極５７と接続される。また、第１スイッチング薄膜トランジスタＴＦＴ
１のドレイン端子Ｄ１が延在して広い面積を有する第１ドレイン電極５８を形成する。コ
モン線５３が延在して第１ドレイン電極５８に対向する位置にコモン電極５９を形成する
。図６に示す如く、第１ドレイン電極５８とコモン電極５９の間に第１絶縁層６０が形成
され、この３層で第１蓄電容量Ｃ１となる。また、第２スイッチング薄膜トランジスタＴ
ＦＴ２のドレイン端子Ｄ２が延在して広い面積を有する第２ドレイン電極６１を形成する
。光ゲート線５４が延在して第２ドレイン電極６１に対向する位置に光ゲート電極６２を
形成する。図６に示す如く、第２ドレイン電極６１と光ゲート電極６２の間に第１絶縁層
６０が形成され、この３層で第２蓄電容量Ｃ２となる。
【００２９】
図６において、液晶パネル１１の背面側（図６の下側）のＴＦＴガラス板６３にゲート
線５１、コモン線５３と光ゲート線５４が形成される。ゲート線５１には第１スイッチン
グ薄膜トランジスタＴＦＴ１のゲート端子Ｇ１、第３スイッチング薄膜トランジスタＴＦ
Ｔ３のゲート端子Ｇ３が接続される。コモン線５３にはコモン電極５９が形成される。光
ゲート線５４には第２スイッチング薄膜トランジスタＴＦＴ２のゲート端子Ｇ２と光ゲー
ト電極６２が形成される。
【００３０】
そして、ゲート線５１、コモン線５３と光ゲート線５４を覆うように第１絶縁層６０が
形成される。第１絶縁層６０上にソース線５２と光量出力線５５が形成される。ソース線
５２には第１スイッチング薄膜トランジスタＴＦＴ１のソース端子Ｓ１と、第２スイッチ
ング薄膜トランジスタＴＦＴ２のソース端子Ｓ２が接続される。光量出力線５５には第３
スイッチング薄膜トランジスタＴＦＴ３のドレイン端子Ｄ３が接続される。また、第１絶
縁層６０上には、３つのゲート端子Ｇ１，Ｇ２，Ｇ３に対向して夫々の半導体層Ｈ１，Ｈ
２，Ｈ３が形成される。半導体層Ｈ１，Ｈ２，Ｈ３は、例えば非晶質シリコンからなる。
半導体層Ｈ１，Ｈ２，Ｈ３を介して夫々ソース端子Ｓ１，Ｓ２，Ｓ３とドレイン端子Ｄ１
，Ｄ２，Ｄ３が接続される。第２スイッチング薄膜トランジスタＴＦＴ２のドレイン端子
Ｄ２には第２ドレイン電極６１が接続される。そして、ソース線５２、光量出力線５５、
ゲート端子Ｇ１，Ｇ２，Ｇ３、ソース端子Ｓ１，Ｓ２，Ｓ３とドレイン端子Ｄ１，Ｄ２，
Ｄ３を覆うように第２絶縁層６４が形成される。第２絶縁層６４上に、図５に示す如く、
画素電極５７が形成される。この画素電極５７と第１スイッチング薄膜トランジスタＴＦ
Ｔ１のソース端子Ｓ１を電気的に接続するためのコンタクトホール５６が形成される。
【００３１】
液晶パネル１１の表面側（図６の上側）のＣＦ（カラーフィルタ）ガラス板６５のＴＦ
Ｔガラス板６３側に遮光のブラックマトリクス６６が形成される。図７に示す如く、この
ブラックマトリクス６６には画素電極５７と対向する位置に表示用開口６６ａ（表示部）
と、第２スイッチング薄膜トランジスタＴＦＴ２の半導体層Ｈ２と対向する位置に外光用
開口６６ｂ（外光の入射部）が設けられる。ブラックマトリクス６６のＴＦＴガラス板６
３側にカラーフィルタ６７が形成され、カラーフィルタ６７のＴＦＴガラス板６３側に対
向電極６８が形成される。そして、画素電極５７と対向電極６８の間に液晶素子６９が配
設される。
【００３２】
ＴＦＴガラス板６３の背面側に第１偏光板７０が、ＣＦガラス板６５の表面側に第２偏
光板７１が配設される。そして、第１偏光板７０の背面側にバックライト７２が配設され
、表面に向かって光を照射する。
【００３３】
上述の表示パネル１１の構成により、第１スイッチング薄膜トランジスタＴＦＴ１は、
ゲートドライバＤＲＶ２からのゲート駆動信号の印加とソースドライバＤＲＶ１からのソ
ース駆動信号の印加を受けて、画素電極５７に印加される電圧を変更することにより、画
素電極５７と対向電極６８間の液晶素子６９の配向を変化させる。これにより、バックラ
イト７２からの照射される光がブラックマトリクス６６の表示用開口６６ａから出射する
光量（輝度）が変化する。
【００３４】
第２スイッチング薄膜トランジスタＴＦＴ２において、光ゲートドライバＤＲＶ３から
のゲート駆動信号の印加に応じ、外光用開口６６ｂからの外光が半導体層Ｈ２に入射され
ると、ソース端子Ｓ２とドレイン端子Ｄ２が導通し、光量（輝度）に応じた電流が流れて
第２蓄電容量Ｃ２に電荷が蓄積され、蓄積された電荷量に該当する電圧を生成する。
【００３５】
第３スイッチング薄膜トランジスタＴＦＴ３は、ゲートドライバＤＲＶ２からのゲート
駆動信号の印加を受けて、第２蓄電容量Ｃ２の電圧を図8の視線検出手段１４に出力する
。
【００３６】
図８はノート型パーソナルコンピュータ１の要部を示すブロック図であり、図９は眼の
正面図であり、図１０は眼の断面図である。図８において、発光手段１２から照射された
赤外線は眼で反射される。その反射光を液晶パネル１１の光検出部１１２（ＴＦＴ２，Ｃ
２，ＴＦＴ３）で検出し、反射光の光量に応じた電圧が視線検出手段１４に入力される。
視線検出手段１４は光検出部１１２からの受信信号に基づいて視線を算出し、制御手段１
５に出力する。制御手段１５は受光位置表示キーの操作により設定された受光位置表示Ｏ
Ｎモードであるとき、ドライバ１１３を制御して液晶パネル１１に眼８の受光位置を表示
させる。この表示は第３スイッチング薄膜トランジスタＴＦＴ３の出力電圧に基づいた印
加電圧を同一サブ画素内の第１スイッチング薄膜トランジスタＴＦＴ１に出力させる。こ
れにより、図１に示す如く、眼の画像を表示する。ドライバ１１３は前述のソースドライ
バＤＲＶ１、ゲートドライバＤＲＶ２と光ゲートドライバＤＲＶ３からなる。また、図１
に示す如く、制御手段１５はドライバ１７を制御して液晶パネルの視線位置にアイコン（
アイポインタ）を表示させる。
【００３７】
視線検出手段１４の視線の検出方法について説明する。視線検出手段１４は特許文献２
に記載される方法で視線方向を算出する。光検出部１１１からの信号により瞳孔の輪郭を
検出してその中心を算出する。瞳孔の検出では、瞳孔は虹彩や強膜などと比較して暗いの
で画像のセグメント化を行い、周囲よりも暗い楕円領域を瞳孔と定める。次に、角膜表面
における反射像であるプルキニエ像（図９参照）を検出する。プルキニエ像の検出では、
瞳孔近辺に位置する輝点をプルキニエ像と定め、左右２つの赤外線による画像から３次元
のプルキニエ像の位置を求める。予め記憶していた角膜曲率半径を使用して、プルキニエ
像の位置から角膜曲率中心を算出する。そして、瞳孔の中心と角膜曲率中心とを通る方向
ベクトルを求めてこれを視線とする。
【００３８】
図１１は図８の制御手段１５の動作を示すフローチャートである。制御手段１５はＥＥ
ＰＲＯＭ（図示せず）に書き込まれたプログラムに基づいて表示の制御を行う。また、内
部のレジスタに変数ｍを記憶する。ｍ＝０は受光の表示位置を表示しないモードを示し、
ｍ＝１は受光の表示位置を表示するモードを示す。ｍの初期値は０である（ステップＳ１
）。受光位置表示キー１６が押下されると（ステップＳ２のＹｅｓ）、変数ｍが０であれ
ば（ステップＳ３のＹｅｓ）、変数ｍを１に変更して（ステップＳ４）、ドライバ１７を
制御することにより受光位置を液晶パネル１１に表示させる（ステップＳ５）。変数ｍが
１であれば（ステップＳ３のＮｏ）、変数ｍを０に変更して（ステップＳ６）、ドライバ
１７を制御することにより受光位置を液晶パネル１１に表示させない（ステップＳ７）。
即ち、受光位置表示キー１６により受光の表示位置の表示をＯＮ／ＯＦＦ切り替える。受
光位置の表示は、外光検出のＴＦＴ基板の出力電圧に基づいた印加電圧を同一サブ画素内
の第１スイッチング薄膜トランジスタＴＦＴ１に出力する。
【００３９】
特許文献４の液晶パネルは光検出素子を備えているが、表示領域外に光検出素子を形成
しているので、受光領域が狭い。これに対して、本発明の液晶パネルは、サブ画素内にＴ
ＦＴの光検出素子を形成することにより、表示パネルの広い領域で受光することができる
ようになる。また、光検出素子は液晶素子の配向を変化させるＴＦＴと同じ材料のＴＦＴ
であるので、製造工程数の増加を回避することができる。
【００４０】
また、眼の受光位置を表示するために、ノート型パーソナルコンピュータ１の開き角度
による眼の受光不良を防止することができる。また、図４に示す如く、光感知用の第２ス
イッチング薄膜トランジスタＴＦＴ２のソース端子Ｓ２は液晶配向用の第１スイッチング
薄膜トランジスタＴＦＴ１のソース端子Ｓ１と同じソースドライバＤＲＶ１に接続され、
光量出力用の第３スイッチング薄膜トランジスタＴＦＴ３のゲート端子Ｇ３は液晶配向用
の第１スイッチング薄膜トランジスタＴＦＴ１のゲート端子Ｇ１と同じゲートドライバＤ
ＲＶ２に接続されているので、受光と同一のサブ画素で眼の受光位置を表示することが容
易である。
【００４１】
尚、本発明の視線の検出方法は、上述の如く、視線方向を瞳孔と角膜曲率中心とを結ぶ
ベクトルと仮定して瞳孔の中心とプルキニエ像の位置から視線方向を検出する方法に限定
するものではなく、例えば、特許文献１のような、角膜と強膜を検出する黒目強膜反射法
でもよい。
【００４２】
また、上述の実施例は縦電界方式の液晶パネルであったが、横電界方式の液晶パネルに
適用することができ、さらに、有機ＥＬ（エレクトロルミネッセンス）パネルにも適用す
ることができる。
【図面の簡単な説明】
【００４３】
【図１】本発明の電子機器の要部を示す正面図である。
【図２】図１の側面図である。
【図３】液晶パネルの画素配列を示す図である。
【図４】液晶パネルの要部の等価回路を示す図である。
【図５】液晶パネルの要部を示す平面図である。
【図６】図5のA−A’断面図である。
【図７】外光の入射部を示す平面図である。
【図８】電子機器の要部の構成を示すブロック図である。
【図９】眼の正面図である。
【図１０】眼の断面図である。
【図１１】制御手段の要部の動作を示すフローチャートである。
【図１２】従来の等価回路を示す図である。
【符号の説明】
【００４４】
１      ノート型パーソナルコンピュータ
１０    第１筐体
１１    液晶パネル
１１１  光検出部
１１２  液晶配向部
１１３  ドライバ
１２    発光手段
１２１Ｌ、１２１Ｒ  赤外発光ダイオード
１２２Ｌ、１２２Ｒ  レンズ
１３    調整手段
１３１  第１アーム
１３２  第２アーム
１４    視線検出手段
１５    制御手段
１６    受光位置表示キー
２０    第２筐体
３０Ｌ、３０Ｒ  ヒンジ
５１    ゲート線
５２    ソース線
５３    コモン線
５４    光ゲート線
５５    光量出力線
５６    コンタクトホール
５７    画素電極
５８    第１ドレイン電極
５９    コモン電極
６０    第１絶縁層
６１    第２ドレイン電極
６２    光ゲート電極
６３    ＴＦＴガラス板
６４    第２絶縁層
６５    ＣＦガラス板
６６    ブラックマトリクス
６７    カラーフィルタ
６８    対向電極
６９    液晶素子
７０    第１偏光板
７１    第２偏光板
７２    バックライト
Ｃ１，Ｃ２  第１蓄電容量
ＤＲＶ１  ソースドライバ
ＤＲＶ２  ゲートドライバ
ＤＲＶ３  光ゲートドライバ
Ｄ１，Ｄ２，Ｄ３  ドレイン端子
Ｇ１，Ｇ２，Ｇ３  ゲート端子
Ｓ１，Ｓ２，Ｓ３  ソース端子
ＴＦＴ１，ＴＦＴ２，ＴＦＴ３  スイッチング薄膜トランジスタ
【図１】
2009223102.tif 000003
【図２】
2009223102.tif 000004
【図３】
2009223102.tif 000005
【図４】
2009223102.tif 000006
【図５】
2009223102.tif 000007
【図６】
2009223102.tif 000008
【図７】
2009223102.tif 000009
【図８】
2009223102.tif 000010
【図９】
2009223102.tif 000011
【図１０】
2009223102.tif 000012
【図１１】
2009223102.tif 000013
【図１２】
2009223102.tif 000014